(57)【要約】【課題】  展示用什器に於いて、従来、展示用の構造物として展示商品を支えたり、一定の区切りをつける等の役割をもってきた展示用什器を、消費者、ユーザのニーズを考え、多様化する商品を、展示販売する展示用什器としての機能をもたせたい。【解決手段】  そこで発明では、展示用什器、特に懸架装置に商品を宣伝する情報や展示場を彩る色彩やデザインなどのデザイン情報を表示する表示装置としての役割を持たせる装置として兼用し、かつ、その表示装置が、展示場所に於いて情報表示装置として、きれいに傷付かず、従来の目的に応じた保持機能を持つように凹部を設けた位置に収納できるように構成した。【選択図】図１
2010115463.tif 000002
【特許請求の範囲】
【請求項１】
展示用什器に於いて、展示用商品を懸架する懸架装置が、該商品を宣伝するための広告情報やデザイン情報を表示する情報表示装置としての機能を兼ね備えるように構成したことを特徴とする展示用什器
【請求項２】
前記懸架装置に、凹部を設け、該凹部に前記広告情報やデザイン情報を配置・固定し、前記情報表示装置としたことを特徴とする請求項１に示した展示用什器
【請求項３】
前記情報表示装置は、複数の異なる情報を取り替えて表示できるように構成したことを特徴とする請求項１に示した展示用什器
【請求項４】
前記懸架装置は丸型パイプから作製し、断面形状を楕円形状にしたうえで短軸方向に凹部を作り、該凹部に前記広告情報やデザイン情報を配置・固定したことを特徴とする請求項２に示したことを特徴とする請求項２に示した展示用什器
【請求項５】
前記懸架装置に、締結する締結部材をワンタッチで固定できるように構成したことを特徴とする請求項４に示した展示用什器
【請求項６】
前記懸架装置は、角バーを基本構成とし、該角バーの断面構成に於いて、少なくとも長軸方向の一面を、前記凹部に構成したことを特徴とする請求項２に示した展示用什器
【請求項７】
展示用什器に於いて、展示用ウォールの一部を取り替え可能な構造にし、該取り替え部分に取り替える複数の広告情報やデザイン情報を用意した展示用ウォールの一部を情報表示装置として兼用したことを特徴とする展示用什器
【発明の詳細な説明】
【技術分野】
【０００１】  本発明は展示用什器に関する
【背景技術】
【０００２】  従来展示用什器の展示パイプ等の懸架装置は、展示商品を支える構造物として作られてきた。断面形状が円形もしくは四角形で、円形のものはそのまま展示用パイプと言ったり、円柱バーと言い、四角形のものは角バーと呼んできた。鉄素材で作ったこれらをクロムメッキし、展示用什器の一部材として使用するのが一般的な使用方法だった。【０００３】  図２は、こうした従来の展示用什器の一実施例であり、ゴルフクラブの展示用支持装置の部分図である。（２）は角バー、（４）は懸架バー、（６）はゴルフクラブ（図示せず）の懸架用フック、（８）は懸架バー（４）を角バー（２）に締結する締結部材である。【０００４】  図３は、図２に示した角バー（２）と締結部材（８）の断面図であり、図３（ａ）は角バーの断面図、図３（ｂ）は角バー（２）に締結部材（８）を取り付けたときの図である。角バー（２）に締結部材（８）をはめ込み、ネジ（１０）で締結する仕組みとなっている。【０００５】  図４は、従来の展示用什器の別の実施例であり、（１２）は展示用ウォール、（１４）、（１６）は懸架治具、（１８）、（２０）は懸架レバー、（２２）は円柱形状の展示用パイプである。展示用ウォール（１２）の一部に設けられた懸架治具（１４）、（１６）に懸架レバー（１８）、（２０）を取り付け、この懸架レバー（１８）、（２０）の穴（２４）、（２６）に展示用パイプを通し、この展示用パイプに衣紋掛やハンガー等を掛けて、商品展示するようにしている。【０００６】
【特許文献】  実開平５−８６２６０  特開平８−１４０７８７  特開２００４−１３６０６９
【発明が解決しようとしている課題】
【０００７】  図２から図４に示した展示用什器は、従来の典型的な什器の事例であるが、商品展示をめぐる周囲環境は大きな変化が起こっている。それは、商品自体の二極化、低価格普及品と高級品への分化とういう傾向と、商品、展示用什器を含め、色彩やデザインが重視される傾向である。またロハスという言葉に象徴されるように、そうした色彩やデザインの上で新しさを持ちつつ、簡素で環境保全にかなうものになっていることが求められている。
【０００８】  つまり、二極化やそれに合わせるような色彩やデザイン上の多様化が求められているが、それぞれの用途ごとに展示用什器を作るのは、量産上のコスト圧縮を考えても得策ではなかった。
【０００９】  そこで、図２から図４に示した角バーや円柱バーに展示している商品ブランドなどの広告情報や色彩などのデザイン情報を表示し、陳列商品の二極化に合わせた展示場を作ったり、商品の紹介を行うことを考えた。しかし、従来の角バーや円柱バーでは、その外表面上に色彩や文学を描いた情報を貼付する他はなく、これは締結部材を締結するときや使用中に傷をつける恐れがあった。そのため見た目もきれいに使用し、使用寿命も情報に応じて保持しうるものが求められていた。
【００１０】  本発明では、そこで宣伝用の広告情報や色彩がデザインの上のデザイン情報を傷付くことなく、きれいに表示できる機能を合わせもった展示用什器を提供することが、目的である。
【００１１】  また、こうした機能を持った懸架装置にワンタッチで締結できる締結部材を提供し、さらに展示ウォールの一部も取り替え可能にし、様々な情報を表示できるものを提供できることを目的とした。
【課題を解決するための手段】
【００１２】  本願では、展示用什器に於いて、角バーや円柱バーなどの展示用パイプ、すなわち懸架部材に凹部を設け、該凹部に商品を宣伝するための広告情報や展示場にあわせた色彩やデザインを提供するデザイン情報を表示し、懸架部材がこれら情報表示装置を兼ねるようにした。そして、この展示用パイプの外表面を擦過しても傷付かないようにした。
【００１３】  前記懸架部材は、丸型パイプから作製し、断面形状を楕円形状にした上で、短軸方向に凹部を作り、長軸方向は楕円形状を残し、一方締結部材はその楕円形状に合わせて、内側に突起部や円形部を設け、該懸架部材にワンタッチで締結できるようにした。また、角バーをベースとして凹部を作る方法も考えた。
【００１４】  さらに展示用什器に於いて、展示用ウォールの一部を丸型、角型その他適当な形状で取り外し、取り付け可能とし、展示用ウォールにも特定の宣伝や色彩などの情報表示装置の役割を持たせるようにした。
【発明の効果】
【００１５】  本発明では、従来展示用什器の懸架装置として商品を支えたり、部署を区切る等の機能的役割しか持っていなかった物を同時に商品宣伝のための情報や展示場所自体を際立てる色彩やデザイン情報を提供する情報表示装置として兼用させることができ、場所をとることのない情報発信や展示スペースに変化を与えられることが可能になった。
【００１６】  商品の二極化や多くのユーザに合わせた多極化が始まり、商品に合せた展示用什器が求められる中で、一つ一つに合せた展示用什器を作ることは、実質不可能であり、コストもかかる。そこで懸架装置に取り付ける色彩やデザイン情報を複数用意し、これを取り替えることで、色々なケースに合せた展示用什器を提供できる効果が生まれた。
【００１７】  懸架装置に凹部を作り、その凹部内に上述した商品宣伝情報やデザイン情報を収納するようにしたため、それらの情報表示は外表面の擦過によって傷付くことがないため、簡単な拭き掃除でいつまでもきれいに表示できる。
【００１８】  この新しい懸架装置が作製されるときの楕円形状の利用し、それに合致させる締結部材にすることによりワンタッチで締結できる締結部材とすることが可能となり、展示用什器の組み立てが簡単にでき、模様替えやイベントなどに効果がある。
【００１９】  懸架部材と同様に展示用ウォールも一部をいくつかの情報表示部材と取り替えることができるようにし、情報表示装置の役割をもつ展示用什器を提供することができた。
【発明の具体的説明】
【００２０】  図１は、本発明による展示用什器の一実施例で、懸架装置の断面図である。（２８）は本発明による懸架装置で、（３０）、（３２）は凹部である。従来の懸架装置で、角バーといわれるものの断面図は、図３（ａ）のような形である。この角バーも断面形状が円形のパイプから外形を規制する型や内形を規制する中子を使ってプレス加工や押出加工によって、このような断面形状にしているが、本願発明でも図１（ａ）の円形状のパイプから、まず図１（ｂ）のような楕円形状にした上で、楕円形状の短軸に図１（ｃ）のように凹部（３０）、（３２）を設けた。
【００２１】  図５は、図１に示した断面図をもつ懸架装置を説明する概観図であり、図５（ａ）は、懸架装置の本体、図５（ｂ）と図５（ｃ）は、この懸架装置の凹部（３０）に貼りつける情報装置であり、図５（ｂ）の（３４）は特定の色彩のデザイン情報、図５（ｃ）の（３６）は、展示用什器で展示する商品の商品名やブランド名などの広告情報の表示例である。これらは素材としてはマグネットシートやプラスチック、紙などを用い、その上に色彩やデザイン情報を描いたり貼付し、懸架装置の凹部（３０）に磁力やのり、その他空気の密着力などで貼り付けるようにしている。描いた情報には、ラミネートを貼るなどをして汚れかが付着しても落とし易くしている。
【００２２】  図６は、図５に示した懸架装置（２８）を展示用ウォールに取り付け、展示商品を展示する時の一実施例の外観図である。（３８）は展示用ウォール、（４０）、（４２）は懸架治具、（４４）（４６）は懸架レバー、（４８）（５０）（５２）は締結部材（５４）（５６）（５８）は懸架バーである。
【００２３】  図７は、図６を説明するための説明図で、展示用ウォール（３８）の両サイドに設けたれた懸架治具（４０）、（４２）に懸架レバー（４４）、（４６）を適当な位置に取り付ける。ここで懸架レバー（４４）、（４６）は、懸架治具（４０）、（４２）に固定する爪（３９）、（４１）と懸架装置（２８）を懸架する穴部（４３）を構成上持っている。
【００２４】  その上で、図６に戻って懸架レバー（４４）、（４６）に懸架装置（２８）を懸架し、懸架バー（５４）（５６）（５８）を持つ締結部材（４８）（５０）（５２）をこの懸架装置（２８）に締結する。この懸架バーには、例えばゴルフクラブを商品として展示するときには、ゴルフクラブの懸架用のフックを取り付け展示する。この時、例えば懸架装置（２８）はこの締結部材（４８）（５０）（５２）によって四つの部分に区切られるが、ここに色彩などのデザイン情報や商品広告用の情報を適宜表示し、この展示用什器を従来にない什器として用いることができる。
【００２５】  例えば、三つに区切ったそれぞれの部分が異なった色彩になるように情報を展示配置したり、展示商品のブランドイメージの色彩にしたり、ブランド名そのものを書いたりすることができる。
【００２６】  図８は、角バーを原形にして、本発明による懸架装置を作製したときの実施例の外観図であり、図８（ａ）はその全体図、図８（ｂ）、図８（ｃ）はこの懸架装置の本体を作製する方法を説明するための断面図である。
【００２７】  図８で、（６０）は懸架装置、（６２）はその枠体、（６４）は凹部である。ここで懸架装置（６０）の枠体（６２）は凹部（６４）を含むように溶接で一体構成している。図８（ｂ）に示したものでは、凹部（６４）となる部分は曲げ加工し、枠体（６２）のＸ１、Ｘ２と凹部（６４）のＹ１、Ｙ２をそれぞれ溶接し、一体に作製している。図８（ｃ）に示したものでは、凹部（６４）はストレートな板材で枠体（６２）を曲げ加工し、枠体（６２）のＸ３、Ｘ４と凹部（６４）のＹ３、Ｙ４とを溶接するようにして作製した。
【００２８】    図９、図１０は、本発明による展示用什器のその他の実施例であり、本発明による懸架装置に対し、ワンタッチで取り付け、取り外しができる締結部材を示す断面図である。
【００２９】  図９で、（６６）は図１に示したものと同一の懸架装置であり、（６８）（７０）は締結部材で、図９（ａ）の締結部材（６８）は懸架装置（６６）の楕円外形（７２）部に合せた内形を作製し、締結部材（６８）を図面上、左廻りでワンタッチで締結できるようにしている。
【００３０】  図９（ｂ）の締結部材（７０）は、プレスによって突起部（７４）を作り、やはり締結部材（７０）を図面上左廻りではめ込んでいけば、突起部（７４）が引っかかりとなって、ワンタッチで締結できるようにしている。
【００３１】  図１０の場合も、懸架装置に締結部材をワンタッチで締結部材できるその他の実施例を説明する断面図である。ここで（６８）（７０）の締結部材は、図９に示したものと同一であり、（７６）は懸架装置で、楕円形状の短軸方向の枠体を図面上左右接触させたものである。
【００３２】  図１１は、本発明による他の実施例で展示用ウォールの外観図である。（８０）は展示用ウォールで、（８２）は取り替え用表示装置で、その一部でこの部分が取替え可能にしている。取り替えようのいくつかのフォーマットを用意し、展示場、ＴＰＯに合せて取り替えられる。この取替え用表示装置（８２）はワンタッチで取り外しできるように工夫している。
【００３３】  以上、本発明による展示用什器は、展示商品の多様化、消費者のニーズの変化そして環境問題を考え、既存の展示用什器を使用しつつ、それを商品情報や展示場を新たにデザインする情報の表示装置として兼用させるようにした展示用什器を提供するものであり、その産業上の利用効果は大きい。なお、本願発明は、実施例に限定されるものではない。
【図面の簡単な説明】
【００３４】  図１は、本発明による展示用什器の一実施例で、懸架装置の断面図である。
図２は、従来の展示用什器の一実施例の外観図である。
図３は、図２に示した角バー用の断面図と、それに締結部材を取り付けた図である。
図４は、従来の展示用什器の別の実施例の外観図である。
図５は、図１に示した本発明による懸架装置の概観図である。
図６は、図５に示した懸架装置を展示用ウォールに取り付け、さらに締結部材を取り付けた時の外観図である。
図７は、図６を説明する図である。
図８は、角バーを原形にして作った本発明による懸架装置の一実施例である。
図９、図１０は、本発明による懸架装置にワンタッチで締結できる締結部材を取り付けた時の断面図である。
図１１は、本発明による展示用ウォールの一実施例の外観図である。
２８，６０，６６，７６・・・懸架装置
３０，３２，６４・・・・・・凹部
【図１】
2010115463.tif 000003
【図２】
2010115463.tif 000004
【図３（ａ）】
2010115463.tif 000005
【図３（ｂ）】
2010115463.tif 000006
【図４】
2010115463.tif 000007
【図５】
2010115463.tif 000008
【図６】
2010115463.tif 000009
【図７】
2010115463.tif 000010
【図８】
2010115463.tif 000011
【図９】
2010115463.tif 000012
【図１０】
2010115463.tif 000013
【図１１】
2010115463.tif 000014